(57)【要約】【課題】横置きにしたときにはトレイとして機能し、縦置きにしたときには試験管立てとして機能するトレイを提供する。【解決手段】本発明のトレイ１は、上面が開口した箱状のトレイ本体１Ａと、該トレイ本体１Ａの対向する一組の側面板の一つに試験管差込用孔５を多数穿設して成り、トレイ本体１Ａを横置きにしたときにはトレイとして機能し、縦置きにしたときには試験管立てとして機能するようにしている。また上面が開口したケース２を準備し、トレイ１を複数整列配置することにより、トレイ１の集合体としての試験管立て１７を構成する。【選択図】 図１
2010162542.tif 000002
【特許請求の範囲】
【請求項１】
四つの側面板と底板とからなり、横置きの状態で上面が開口した箱状のトレイ本体を有し、側面板のうちの一つに試験管差込用孔が多数穿設されて成り、トレイ本体の底板を底面にしてトレイ本体を横置きにしたときにはトレイ本体内に試験管を寝かした状態で多数収納することができ、トレイ本体の試験管差込用孔が多数穿設された側面板に対向する側面板を底面にしてトレイ本体を縦置きにしたときには試験管差込用孔から挿通された試験管の頭部側が前記試験管差込用孔の多数穿設された側面板よりも外方へ突出した状態で試験管を立てて収容することができ、試験管立てとして機能することを特徴とする試験管用トレイ。
【請求項２】
試験管差込用孔の穿設された側面板の内側に該側面板と平行する中板を設け、該中板に前記側面板の試験管差込用孔と同じ孔を穿設した請求項１に記載の試験管用トレイ。
【請求項３】
試験管差込用孔の穿設された側面板の内側に中板を配設し、該中板の上端側をトレイ本体の試験管差込用孔が設けられた側面板の上端面側寄りに位置させると共に、中板の下端側を前記試験管差込用孔が設けられた側面板から離れて位置させており、中板と前記トレイ本体の試験管差込用孔の穿設された側面板との間に試験管が入り込まないようになっている請求項１に記載の試験管用トレイ。
【請求項４】
試験管差込用孔には、試験管の挿通を案内し、安定して支持するための筒状部を備えたホルダーが装着されている請求項１に記載の試験管用トレイ。
【請求項５】
中板がトレイ本体の対向する一組の内側面に設けたスライド溝に脱着自在に取り付けられる請求項２に記載の試験管用トレイ。
【発明の詳細な説明】
【技術分野】
【０００１】
本発明は、横置きにすると試験管を寝かした状態で収納するためのトレイとして機能し、縦置きにすると患者別等に仕分けした試験管立てとして機能するトレイに関するもである。
【背景技術】
【０００２】
総合病院や大学の付属病院、その他の医療機関において行われる血液検査は、医師等の指示に応じた検査項目ごとに試験管（採血管及びスピッツ等を含む）を選択してこれを取り出し、取り出した試験管に患者情報を印字したラベルを貼付して医師からの指示書を添えて患者の室又はナースステーション等の採血場所へ搬送している。そして、採血し後の試験管を検査工程へ搬送し、検査処理している。これらの試験管の搬送は、上面側開口したトレイに入れて行う方式か、又は試験管立てに立てた姿勢で収納して行う方式か、更にはビニール袋等に袋詰めして行うパック方式が用いられている。本発明は、そのちの試験管立て方式の技術に関するものである。
【０００３】
而して、試験管立て方式の従来技術としては、特許文献１及び２に記載されたものがある。特許文献１に記載された従来技術は、ベース部に前面側と上面側が開口した凹部を設け、該凹部の両側面に試験管の底部受け部材をスライド自在に嵌合装着できる溝部を形成し、該溝部を多段式に設けることで底部受け部材の高さを調節自在となしている。そして、ベース部に支柱を介して上部受け部材を取り付け、上部受け部材に試験管を挿通する保持穴を設けている。この保持穴には、リング状のスペーサを脱着自在に装着することで、試験管の径の大きさに対応できるようにしている。
【０００４】
一方、特許文献２に記載された従来技術は、試験管を立てた状態で収納するための複数個の収容凹部が形成された内ラックと、該内ラックを複数列並べて収納し、左右に開閉できる把手を持って搬送できるようにした外ラックとで構成されている。
【特許文献１】特開２００１−３１８１０４号公報
【特許文献２】特開平１１−１９０７２号公報
【発明の開示】
【発明が解決しようとする課題】
【０００５】
ところが、前記特許文献１及び特許文献２に示す試験管立ての技術では、試験管を立てた状態での使用ができるだけである。そのため、通常は、採血前は、広いパン状のトレイの上に試験管を寝かした状態で準備しておき、採血した後等に試験管を試験管立てへ立てた状態で収納し、この状態で検査工程へ運搬するようにしていた。
このように、まだ採血していない空の試験管の運搬はトレイで行い、採血後の試験管の運搬は試験管立てで行っているため、トレイと試験管立てとの二種類の試験管収納容器を必要とするという欠点があった。
【０００６】
本発明は従来の前記課題に鑑みてこれを改良除去したものであって、横置きにしたときにはトレイとして機能し、縦置きにしたときには試験管立てとして機能する試験管用のトレイを提供すると共に、これをケース内に複数配列して収納できるようにした試験管立てを提供せんとするものである。
【課題を解決するための手段】
【０００７】
而して、前記課題を解決するために本発明が採用した請求項１の手段は、四つの側面板と底板とからなり、横置きの状態で上面が開口した箱状のトレイ本体を有し、側面板のうちの一つに試験管差込用孔が多数穿設されて成り、トレイ本体の底板を底面にしてトレイ本体を横置きにしたときにはトレイ本体内に試験管を寝かした状態で多数収納することができ、トレイ本体の試験管差込用孔が多数穿設された側面板に対向する側面板を底面にしてトレイ本体を縦置きにしたときには試験管差込用孔から挿通された試験管の頭部側が前記試験管差込用孔の多数穿設された側面板よりも外方へ突出した状態で試験管を立てて収容することができ、試験管立てとして機能することを特徴とする試験管用トレイである。
【０００８】
本発明が採用した請求項２の手段は、試験管差込用孔の穿設された側面板の内側に該側面板と平行する中板を設け、該中板に前記側面板の試験管差込用孔と同じ孔を穿設した請求項１に記載の試験管用トレイである。
【０００９】
本発明が採用した請求項３の手段は、試験管差込用孔の穿設された側面板の内側に中板を配設し、該中板の上端側をトレイ本体の試験管差込用孔が設けられた側面板の上端面側寄りに位置させると共に、中板の下端側を前記試験管差込用孔が設けられた側面板から離れて位置させており、中板と前記トレイ本体の試験管差込用孔の穿設された側面板との間に試験管が入り込まないようになっている請求項１に記載の試験管用トレイである。
【００１０】
本発明が採用した請求項４の手段は、試験管差込用孔には、試験管の挿通を案内し、安定して支持するための筒状部を備えたホルダーが装着されている請求項１に記載の試験管用トレイである。
【００１１】
本発明が採用した請求項５の手段は、中板がトレイ本体の対向する一組の内側面に設けたスライド溝に脱着自在に取り付けられる請求項２に記載の試験管用トレイである。
【発明の効果】
【００１２】
請求項１の発明にあっては、トレイを横置きにしたときには、パン状のトレイ本来の機能を発揮し、患者ごとに取り揃えた複数の試験管を寝かした状態で収納することができる。従って、上面側が広く開口しており、試験管の取扱いが便利である。また試験管は当初から横に寝かした状態で収容されるので、倒れる等の心配も不要である。
これに対して、採血した後であって、トレイを縦置きにしたときには、対向する一組の側面の一つに形成した試験管差込用孔を通じて試験管を立てて収容することができる。このように、請求項１の発明のトレイは、試験管立てを兼用することのできるトレイであり、使い勝手が極めてよい。
【００１３】
請求項２の発明にあっては、試験管差込用孔の穿設された側面板の内側に該側面板と平行する中板を設け、該中板に前記側面板の試験管差込用孔と同じ孔を穿設したから、トレイ本体を縦置きにしたときに、上下に並ぶ側面板と中板とが間隔をおいて試験管を支えるようになり、試験管の安定した支持が得られる。
【００１４】
請求項３の発明にあっては、中板が傾斜して設けられているので、横置きでトレイとして使用する場合に、前記傾斜した中板が試験管の摺動案内面として機能し、試験管の円滑且つソフトなトレイへの供給が可能である。また中板とトレイ本体の試験管差込用孔が設けられた側面板との間に、試験管が入り込むということもない。
【００１５】
請求項４の発明にあっては、トレイの試験管差込用孔に、筒状部を備えたホルダーを装着している。ホルダーの筒状部は、試験管を挿入するときに、ガイドの役目を果たし、また挿入後はみだりに試験管が移動しないようにこれを保持することができる。従って、試験管を立てて収容したときに、試験管が安定して支持されるようになる。
【００１６】
請求項５の発明にあっては、請求項２の発明の中板がスライド自在に脱着でき、横置きでトレイとして使用するときに、中板を取り外しておくことで、広く利用することが可能である。また縦置きで試験管立てとして利用するときは、中板をスライド溝へ嵌合装着すれば、試験管の安定した直立姿勢での支持構造が得られる。
【発明を実施するための最良の形態】
【００１７】
以下に、本発明の構成を図面に示す発明の実施の形態に基づいて説明すると次の通りである。図１は本発明の第１の実施の形態に係るものであり、図（Ａ）はトレイ１の中板２を取り外した状態を示す斜視図、図（Ｂ）はトレイ１を縦置きで試験管立てとして利用した場合の縦断面図、図（Ｃ）はトレイ１を横置きにした状態の縦断面図である。同図の図（Ａ）に示す如く、トレイ１は、横置きの状態で上面側が開口した箱状のトレイ本体１Ａを有している。トレイ本体１Ａの対向する一組の側面板３Ａ，３Ｂのうち、縦置きで使用するときに上面となる位置の側面板３Ａには、試験管６を差し込むための孔５が二列状にそれぞれ五つずつ形成されている。この試験管差込用孔５は、その直径の大きさを変えることにより、大径の試験管を差し込むためのもの又は小径の試験管を差し込むためのもの等に区別して使用することが可能である。
【００１８】
またトレイ本体１Ａの他方の対向する一組の側面板３Ｃ，３Ｄの内側面のうち、前記試験管差込用孔５の形成された側面板３Ａ寄りの位置に、開口端面側から底板側に至るスライド溝７が形成されている。このスライド溝７には、側面板３Ａと平行に配設される中板２が脱着自在に嵌合装着されるようになっている。中板２には、前記側面板３Ａの試験管差込用孔５と同じ試験管差込用孔８が設けられており、上下の各孔５，８が同一軸心線上に並ぶように設けられている。
【００１９】
このように構成されたトレイ１は、採血前の状態では、同図の図（Ｃ）に示すように、トレイ本体１Ａを横置きにし、複数の試験管６を寝かした状態で収納して持ち運びするような使用形態がなされる。このとき、中板２は図（Ｃ）に示すように、スライド溝７へ装着したままであってもよく、また必要であればスライド溝７から取外してトレイ内へ寝かして置くこともできる。取り外しておけば、より沢山の試験管６を収納することが可能である。なお、試験管６は、医師からの指示に基づいて血液検査を必要とする患者ごとに、その検査項目に応じて試験管６の種類が選択され、試験管自動ラベリング装置等において、患者情報等を印刷した識別ラベルが自動的に貼付されている。これであれば、看護師等が容易に運搬することが可能であり、取扱いが便利である。検査項目別に試験管６が準備された患者ごとのトレイ１は、採血室へ運搬され、各試験管６に採血がなされる。そして、採血作業が終了した後は、同図の図（Ｂ）に示すように、トレイ本体１Ａを縦置きにし、採血した試験管６を側面板３Ａと、中板２との上下の試験管差込用孔５，８に貫通して差し込んで試験管立てとして利用することができる。このとき、側面板３Ａと中板２の試験管差込用孔５，８とは、試験管６が移動又は揺動しないように立てた姿勢を保持し、試験管６を安定させる働きがある。
【００２０】
図２は本発明の第２の実施の形態に係るトレイ１１を示すものであり、図（Ａ）は平面図、図（Ｂ）はその中板１２を示す平面図、図（Ｃ）は正面図、図（Ｄ）は左側面図、図（Ｅ）は右側面図、図（Ｆ）は底面図である。なお、図１の場合と同一部材は同一符号を付している。図１に示す第１の実施の形態の場合と異なるところは、中板１２をトレイ本体１１Ａに対して固定方式とした点、側面板３Ａ及び中板１２に設けた試験管差込用孔を大小の二種類とした点の二点である。試験管差込用孔５Ａは、大径の試験管を差し込むためのものであり、試験管差込用孔５Ｂは小径の試験管を差し込むためのものである。
【００２１】
トレイ１１の使用態様については、前記第１の実施の形態の場合と同じであり、採血前の状態ではトレイ本体１１Ａを横置き状態でトレイとして使用し、採血後にあっては、縦置き状態で試験管立てとして使用する。このようにしてその患者に必要な複数の試験管６が一つのトレイ本体１１Ａに収納されると、当該一つのトレイ１１を一つの試験管立てとして利用し、次の検査室へ看護師が搬送したりする。
【００２２】
図３は本発明の第３の実施の形態に係るトレイ１３を示すものであり、図（Ａ）はトレイ１３を横置きにした状態の縦断面図、図（Ｂ）はトレイ１３を縦置きで試験管立てとして利用した場合の縦断面図である。この実施の形態では、第１の実施の形態における中板２に変えて斜めに傾斜して設置した中板１４を用いるようにしている。傾斜した中板１４は、その上端側がトレイ本体１３Ａの試験管差込用孔５を設けた側面板３Ａの上端面側寄りに位置しており、中板１４と前記側面板３Ａとの間に試験管６が入り込まないようになっている。なお、上端側の両部材は、図面では当接した場合を示しているが、両部材間に試験管６が入り込まないだけの隙間が設けられていても問題はない。
【００２３】
このように、第３の実施の形態のトレイ１３は、中板１４が傾斜して設けられているので、横置きでトレイとして使用する場合に、前記傾斜した中板１４が試験管６の摺動案内面として機能し、試験管６の円滑且つソフトなトレイへの供給が可能である。また使用中において、中板１４とトレイ本体１３Ａの試験管差込用孔５が設けられた側面板３Ａとの間に、試験管が入り込むということもない。
【００２４】
図４乃至図６は本発明の第４の実施の形態に係るものであり、図４の図（Ａ）はトレイ１５を縦置きにした場合の平面図、図（Ｂ）は同正面図、図（Ｃ）は同右側面図である。また図５はトレイ１５を縦置きにした場合の斜視図である。図６はトレイ１５を複数並列してケース１６内へ収納し、試験管立て１７とした場合の斜視図である。トレイ１５は、開口面側の全周縁にリブ１８が突出形成されている。またトレイ本体１５Ａの対向する一組の側面板１９Ａ，１９Ｂのうち、縦置きで使用するときに上面となる位置の側面板１９Ａには、試験管６を差し込むための孔２０Ａ，２０Ｂが二列状にそれぞれ五つずつ形成されている。試験管差込用孔２０Ａは、大径の試験管を差し込むためのものであり、試験管差込用孔２０Ｂは小径の試験管を差し込むためのものである。
【００２５】
更に、試験管差込用孔２０Ａ，２０Ｂには、ホルダー２１が脱着自在に嵌合装着されている。ホルダー２１は、側面板１９Ａの外側に位置してこれに係止される頭部２１Ａと、トレイ１５の内部側に突出状に配設される筒部２１Ｂとを有している。該筒部２１Ｂは、試験管６の差し込みを案内する役目と、差し込み後は試験管６がみだりに移動しないようにこれを保持する役目とを有している。
【００２６】
次に、このように構成されたトレイ１５の使用態様について説明する。採血前の状態にあって、トレイ単体をトレイ本来の機能を発揮すべく使用する場合は、トレイ本体１５Ａを横置きの状態とし（図４の図（Ｂ）を平面図とした状態と同じ）、同図の鎖線で示すように、トレイ本体１５Ａ内に試験管６を寝かした状態で収納すればよい。試験管６は、医師からの指示に基づいて血液検査を必要とする患者ごとに、その検査項目に応じて試験管６の種類が選択され、試験管自動ラベリング装置等において、患者情報等を印刷した識別ラベルが自動的に貼付されている。これであれば、看護師等が容易に運搬することが可能であり、取扱いが便利である。検査項目別に試験管６が準備された患者ごとのトレイ１は、採血室へ運搬され、各試験管６に採血がなされる。
【００２７】
そして、採血作業が終了した後は、図１の各部に示すように、トレイ本体１５Ａを縦置きにし、試験管差込用孔２０Ａ，２０Ｂへ装着したホルダー２１へ採血後の試験管６を差し込み、試験管立てとして利用することができる。このとき、試験管６は、ホルダー２１の筒部２１Ｂに保持されており、揺動したり、移動したりすることがない。このようにしてその患者に必要な複数の試験管６が一つのトレイ本体１５Ａに収納されると、当該一つのトレイ１５を一つの試験管縦として利用し、次の検査室へ看護師が搬送することも可能である。
【００２８】
また同様にして複数の患者の試験管６をそれぞれ別のトレイ本体１５Ａに収納し、図６に示すように、これをケース１６へ縦置きの状態で整列配置し、複数のトレイ１５の集合体とした試験管立て１７を構成することも可能である。尚、ケース１６の対向する一組の側面板２２Ａ，２２Ｂには、トレイ本体１５Ａのリブ１８を係合するための溝２３が穿設してあり、トレイ１５の装着後はトレイ１５が倒れたり、むやみに移動しないように工夫されている。この場合は、１０個のトレイ１５をケース１６内へ収納することが可能であり、一つの試験管立て１７で患者１０人に対応することが可能である。
【００２９】
図７及び図８は本発明の第５の実施の形態に係るものであり、図７の図（Ａ）はトレイ２４を横置きの状態でトレイ本来の機能を発揮すべく使用する場合を示す斜視図、図（Ｂ）はトレイ２４を縦置きの状態で試験管立てとして利用する場合を示す斜視図、図（Ｃ）はトレイ２４の試験管差込用孔２５Ａ，２５Ｂに装着するホルダー２６を示す斜視図である。また図８はトレイ２４を立てた状態で複数個、ケース２７へ整列配置した場合の試験立て２８を示す斜視図である。
【００３０】
トレイ２４は、ケース２７の内面側の横幅に相当する長さを有し、図７の図（Ａ）に示すように、横置きの状態で上面側が開口した箱状を成している。そして、対向する一組の側面板２９Ａ，２９Ｂのうち、縦置きで使用するときに上面となる位置の側面板２９Ａには、試験管６を差し込むための孔３０Ａ及び３０Ｂが二列状に複数個形成されている。試験管差込用孔３０Ａは、大径の試験管を差し込むためのものであり、試験管差込用孔３０Ｂは小径の試験管を差し込むためのものである。またトレイ２４の対向する残りの一組の側面板２９Ｃ，２９Ｄの外側には、前記ケース２７の係止溝３８と係合するための凸状のリブ３２を備えた係止凸部３３が設けられている。そして、試験管差込用孔２５Ａ及び２５Ｂが形成された側面板２９Ａの前記係止凸部３３の部分には、患者ごとの指示書３４を装入するための細幅のポケット３５が設けられている。
【００３１】
また、試験管差込用孔２５Ａ及び２５Ｂには、図７の図（Ｃ）に示す、ホルダー３６が着脱自在に嵌合装着されている。ホルダー３６は、側面板２９Ａの外側に位置してこれに係止される頭部３６Ａと、トレイ２４の内部側に延長して配設される筒部３６Ｂとを有し、筒部３６Ｂは試験管６の差し込みを案内する役目と、差し込み後は試験管６がみだりに移動しないようにこれを保持する役目とを有している。
【００３２】
一方、図８の斜視図に示す如く、試験管立て２８を構成するためのケース２７は、前記トレイ２４を縦置きの状態で複数のものが一列状に配列収納されるようになっている。そして、ケース２７の長手方向の対向する側板３７Ａ及び３７Ｂに、所定間隔ごとの係止溝３８が上端面側から所定寸法だけ下方へ向けて形成されている。係止溝３８は、後述するトレイ２４の両側面に形成された凸状のリブ３２と係合することにより、トレイ２４の転倒を防止するためのものである。またケース２７は、短手方向の両端板３７Ｃ及び３７Ｄに左右に開閉できる把手３９Ａ及び３９Ｂが取り付けられている。更に、一方側の端板３７Ｄの上部側には、検査内容についての指示書４０等を装入するためのポケット４１が設けられている。
【００３３】
次に、このように構成されたトレイ２４及びこれを集合してケース２７内へ収納した試験管立て２８の使用態様を説明する。例えば、医師から血液検査を必要とする患者に対して個別に検査内容等についての指示が出されると、試験管自動ラベリング装置等において、その検査内容に応じた試験管６の種別が選択されて取り出される。これと同時に、患者名等を印刷した識別ラベル４３が印刷され、取り出された試験管６の外表面に自動的に貼付される。識別ラベル４３の貼付された試験管６は、図７の図（Ａ）に示すように、横置きにした状態のトレイ２４内へ患者ごとの指示書３４と共に収納される。これであれば、看護師等が容易に運搬することが可能であり、取扱いが便利である。
【００３４】
然る後は、特定の患者に対応するトレイ２４を、図７の図（Ｂ）に示すように立てた状態にし、選択された各検査項目別の試験管６をホルダー３６を介して試験管差込孔２５Ａ，２５Ｂへ差し込み、立てた状態でこれに保持させる。また患者ごとの指示書３４は、ポケット３５へ装入しておく。これで、一応、一つのトレイ２４が一つの試験管立てとして機能し、患者ごとの試験管立てとして運搬することが可能である。
【００３５】
また図８に示すように、患者ごとに複数の試験管６を立てて収納してなるトレイ２４を複数準備し、これをケース２７内へ収納配置して複数のトレイ２４の集合体としての試験管立て２８を構成するようにしてもよい。このとき、把手３９Ａ，３９Ｂは左右へ開いておき、その状態でトレイ２４の両側面板２９Ｃ，２９Ｄに設けた凸状のリブ３２が、ケース２７の両側面板３７Ａ，３７Ｂの係止溝３８へ嵌合するように上方から降ろせばよい。これにより、トレイ２４はケース２７に対して拘束され、転倒したり、移動することがない。また試験管立て２８に何らかの原因で多少の衝撃が加わった場合等であってもトレイ２４が転倒するようなことはなく、試験管６を保護することが可能である。
【００３６】
このようにしてその患者に必要な複数の試験管６とその指示書３４等が一つのケース２７に収納されると、同様にして別の患者の試験管６及び指示書３４等を別のトレイ２４に収納し、一つのケース２７に対して患者別に合計十人分のトレイ２４が準備される。なお、トレイ２４は縦置きの状態では、正面側が開口した面となっており、該開口面を通じて採血後の試験管６に血液が入っているか否かを確認することができる。
【００３７】
このようにして、一つの試験管立て２８の準備が完了すると、試験管立て２８は自動搬送装置等を介して目的とする病室又はナースステーション等へ搬送される。目的の場所では、看護師が患者ごとのトレイ２４を取り出し、ポケット３５に収納された指示書３４等で確認しながら該当する患者の検査内容に応じた採血を行う。そして、トレイ２４へ試験管６を戻し、一人の患者に対する全部の採血が終了すると、トレイ２４をケース２７へ戻すようにしている。採血した後の試験管６は、トレイ２４の開口面から採血された血液を確認することができるので、まだ採血してない試験管６との区別が容易である。このようにしてケース２７に収納された全てのトレイ２４の全部の採血が完了すると、試験立て２８を次の検査工程等へ自動搬送装置等を介して搬送している。
【００３８】
このような試験管６の搬送方式であれば、医師から採血の指示が出された後、試験管６の種別の選択、識別ラベルの貼付、試験管６の搬送、採血、採血した試験管６の収集、検査に至るまでの血液検査業務の全体にわたって一貫して患者ごとの複数の試験管６を一つの集合体としてトレイ２４に収容した状態で取り扱うことができ、極めて便利である。そのため、試験管６の取り違えが発生したりすることもなく、また採血する看護師又は医師等も、患者ごとの試験管６の取り出し及びその検査内容の確認等が容易である。更に、検査工程においては、試験管６を検査機器へ供給するために、所定の移し換えを行うがその場合に検体の取り違えが発生するようなこともない。
【００３９】
なお、上記各実施の形態において、トレイはこれを横置き状態でトレイ本来の機能を発揮すべく使用するときは、これを段積みすることが可能であり、省スペースを図ることができる。
【図面の簡単な説明】
【００４０】
【図１】本発明の第１の実施の形態に係るものであり、図（Ａ）はトレイの中板を取り外した状態を示す斜視図、図（Ｂ）はトレイを縦置きで試験管立てとして利用した場合の縦断面図、図（Ｃ）はトレイを横置きにした状態の縦断面図である。
【図２】本発明の第２の実施の形態に係るトレイを縦置きにした状態の図面であり、図（Ａ）は平面図、図（Ｂ）はその中板を示す平面図、図（Ｃ）は正面図、図（Ｄ）は左側面図、図（Ｅ）は右側面図、図（Ｆ）は底面図である。
【図３】本発明の第３の実施の形態に係るトレイを示すものであり、図（Ａ）はトレイを横置きにした状態の縦断面図、図（Ｂ）はトレイを縦置きで試験管立てとして利用した場合の縦断面図である。
【図４】本発明の第４の実施の形態に係るものであり、図（Ａ）はトレイを縦置きにした場合の平面図、図（Ｂ）は同正面図、図（Ｃ）は同右側面図である。
【図５】本発明の第４の実施の形態に係るものであり、トレイを縦置きにした場合の斜視図である。
【図６】本発明の第４の実施の形態に係るものであり、トレイを複数並列してケース内へ収納し、試験管立てとした場合の斜視図である。
【図７】本発明の第５の実施の形態に係るものであり、図（Ａ）はトレイを横置きにした状態を示す斜視図、図（Ｂ）はトレイを縦置きにした状態を示す斜視図、図（Ｃ）はホルダーを示す斜視図である。
【図８】本発明の第５の実施の形態に係る試験管立てを示す全体斜視図である。
【符号の説明】
【００４１】
１…トレイ、１Ａ…トレイ本体、２…中板、３Ａ，３Ｂ…側面板、５…試験管差込用孔、
７…スライド溝、８…試験管差込用孔、１６…ケース、１７…試験管立て、２１…ホルダ
ー
【図１】
2010162542.tif 000003
【図２】
2010162542.tif 000004
【図３】
2010162542.tif 000005
【図４】
2010162542.tif 000006
【図５】
2010162542.tif 000007
【図６】
2010162542.tif 000008
【図７】
2010162542.tif 000009
【図８】
2010162542.tif 000010